(57)【要約】【課題】マルチタスキングのためのユーザインターフェース方法及びその方法を行うプログラムを記録したコンピュータで読み取り可能な記録媒体を提供する。【解決手段】類似した機能を行う一つ以上のアプリケーションを同一グループに分類することによって、装置で実行可能なアプリケーションを複数のグループに分類する段階と、分類された各グループに対して、所属アプリケーションの実行のためのウィンドウをディスプレイする段階とを含むマルチタスキング可能な装置におけるユーザインターフェース方法である。【選択図】図１
2007249944.tif 000002
【特許請求の範囲】
【請求項１】
マルチタスキング可能な装置におけるユーザインターフェース方法において、
類似した機能を行う一つ以上のアプリケーションを同一グループに分類することによって、前記装置で実行可能なアプリケーションを複数のグループに分類する段階と、
前記分類された各グループに対して、所属アプリケーションの実行のためのウィンドウをディスプレイする段階と、を含むことを特徴とするユーザインターフェース方法。
【請求項２】
前記ウィンドウをディスプレイする段階は、
前記各ウィンドウに、該当グループに属するアプリケーションのうち一つを選択するためのメニューをディスプレイする段階をさらに含むことを特徴とする請求項１に記載のユーザインターフェース方法。
【請求項３】
前記ウィンドウをディスプレイする段階は、
前記各ウィンドウのアプリケーション実行部分が互いに重なるように、マルチレイヤ構造でディスプレイして、現在選択されたアプリケーションの実行部分だけ見えるようにディスプレイし、前記各ウィンドウのアプリケーション選択メニューは、常に見えるようにディスプレイする段階をさらに含むことを特徴とする請求項２に記載のユーザインターフェース方法。
【請求項４】
マルチタスキング方式で複数のアプリケーションが実行中である場合、バックグラウンドとして実行中であるアプリケーションに対応するサムネイルをディスプレイする段階をさらに含むことを特徴とする請求項３に記載のユーザインターフェース方法。
【請求項５】
前記ウィンドウをディスプレイする段階は、
実行中である各アプリケーションの付加機能のうち一つを選択するためのメニューを、該当ウィンドウにディスプレイする段階をさらに含むことを特徴とする請求項３に記載のユーザインターフェース方法。
【請求項６】
前記アプリケーション選択メニューをディスプレイする段階と前記付加機能選択メニューをディスプレイする段階とは、
前記アプリケーション選択メニューと前記付加機能選択メニューとを、画面の各エッジに重ならないように配置する段階を含むことを特徴とする請求項５に記載のユーザインターフェース方法。
【請求項７】
ユーザが前記装置に備えられた方向キーを押せば、前記押された方向キーによって所定のエッジに位置したアプリケーション選択メニューまたは付加機能選択メニュー内でメニュー項目選択を移動させる段階を含むことを特徴とする請求項６に記載のユーザインターフェース方法。
【請求項８】
現在実行中であるアプリケーションが前面にディスプレイされ、前記付加機能を提供することが可能な状態である場合、該当付加機能選択メニューの項目のうち一つにフォーカスを移動させる段階をさらに含むことを特徴とする請求項６に記載のユーザインターフェース方法。
【請求項９】
現在実行中であるアプリケーションが前面にディスプレイされた場合、他のウィンドウにディスプレイされているアプリケーション選択メニューの項目のうち一つにフォーカスを移動させる段階をさらに含むことを特徴とする請求項３に記載のユーザインターフェース方法。
【請求項１０】
前記アプリケーション分類段階は、
前記装置で実行可能なアプリケーションを視覚的アプリケーショングループと聴覚的アプリケーショングループとに分類する段階を含むことを特徴とする請求項１に記載のユーザインターフェース方法。
【請求項１１】
マルチタスキング可能な装置におけるユーザインターフェース方法を行うプログラムを記録したコンピュータで読み取り可能な記録媒体において、前記方法は、
類似した機能を行う一つ以上のアプリケーションを同一グループに分類することによって、前記装置で実行可能なアプリケーションを複数のグループに分類する段階と、
前記分類された各グループに対して、所属アプリケーションの実行のためのウィンドウをディスプレイし、前記各ウィンドウは、アプリケーション実行部分が互いに重なるように、マルチレイヤ構造でディスプレイして、現在選択されたアプリケーションの実行部分だけ見えるようにディスプレイし、前記各ウィンドウに、該当グループに属するアプリケーションのうち一つを選択するためのメニューをディスプレイする段階と、を含むことを特徴とする記録媒体。
【発明の詳細な説明】
【技術分野】
【０００１】
本発明は、ユーザインターフェースに係り、さらに詳細には、マルチタスキング可能な端末をユーザが便利に使用できるようにするためのユーザインターフェース方法及びその方法を記録したコンピュータで読み取り可能な記録媒体に関する。
【背景技術】
【０００２】
従来のモバイル端末など、ＣＥ(Ｃｏｎｓｕｍｅｒ  Ｅｌｅｃｔｒｏｎｉｃｓ)機器の仕様が向上し、且つ性能が改善されて、マルチタスキングを処理できるレベルとなったが、これを活用できるユーザインターフェースが提供されていないため、不便な実情がある。すなわち、ユーザが従来の階層構造で構成されたメニューを利用して、バックグラウンドとして実行するアプリケーションを選択することは、非常に煩雑な作業であるので、これを改善する必要がある。
【発明の開示】
【発明が解決しようとする課題】
【０００３】
本発明は、前記のような問題を解決して、装置のマルチタスキング機能を便利で、且つ効率的に利用できるユーザインターフェース方法及びその方法を行うプログラムを記録したコンピュータで読み取り可能な記録媒体を提供することを目的とする。
【課題を解決するための手段】
【０００４】
前記課題を解決するための本発明の一つの特徴は、マルチタスキング可能な装置におけるユーザインターフェース方法において、類似した機能を行う一つ以上のアプリケーションを同一グループに分類することによって、前記装置で実行可能なアプリケーションを複数のグループに分類する段階と、前記分類された各グループに対して、所属アプリケーションの実行のためのウィンドウをディスプレイする段階とを含むことである。
【０００５】
望ましくは、前記ウィンドウをディスプレイする段階が、前記各ウィンドウに該当グループに属するアプリケーションのうち一つを選択するためのメニューをディスプレイする段階をさらに含む。
【０００６】
望ましくは、前記ウィンドウをディスプレイする段階が、前記各ウィンドウのアプリケーション実行部分が互いに重なるように、マルチレイヤ構造でディスプレイして、現在選択されたアプリケーションの実行部分だけ見えるようにディスプレイし、前記各ウィンドウのアプリケーション選択メニューは、常に見えるようにディスプレイする段階をさらに含む。
【０００７】
望ましくは、前記ユーザインターフェース方法が、マルチタスキング方式で複数のアプリケーションが実行中である場合、バックグラウンドとして実行中であるアプリケーションに対応するサムネイルをディスプレイする段階をさらに含む。
【０００８】
望ましくは、前記ウィンドウをディスプレイする段階が、実行中である各アプリケーションの付加機能のうち一つを選択するためのメニューを該当ウィンドウにディスプレイする段階をさらに含む。
【０００９】
望ましくは、前記アプリケーション選択メニューをディスプレイする段階と前記付加機能選択メニューをディスプレイする段階とが、前記アプリケーション選択メニューと前記付加機能選択メニューとを画面の各エッジに重ならないように配置する段階を含む。
【００１０】
望ましくは、前記ユーザインターフェース方法が、ユーザが前記装置に備えられた方向キーを押せば、前記押された方向キーによって所定のエッジに位置したアプリケーション選択メニューまたは付加機能選択メニュー内でメニュー項目選択を移動させる段階を含む。
【００１１】
望ましくは、前記ユーザインターフェース方法が、現在実行中であるアプリケーションが前面にディスプレイされ、前記付加機能を提供することが可能な状態である場合、該当付加機能選択メニューの項目のうち一つにフォーカスを移動させる段階をさらに含む。
【００１２】
望ましくは、前記ユーザインターフェース方法が、現在実行中であるアプリケーションが前面にディスプレイされた場合、他のウィンドウにディスプレイされているアプリケーション選択メニューの項目のうち一つにフォーカスを移動させる段階をさらに含む。
【００１３】
望ましくは、前記アプリケーション分類段階が、前記装置で実行可能なアプリケーションを視覚的アプリケーショングループと聴覚的アプリケーショングループとに分類する段階を含む。
【発明の効果】
【００１４】
本発明の構成によれば、小型画面を備えたＣＥ機器で支援するマルチタスキング機能をユーザが便利に使用できる。
【００１５】
具体的には、同時に実行可能なアプリケーションがレイヤ構造に視覚的に表現されるので、プログラム転換が簡単であり、ユーザが直観的に容易に操作できる。また、バックグラウンドとして実行中であるアプリケーションがサムネイルとして表示されるので、ユーザが容易に把握できる。また、４方向キーを有している機器でも便利なマルチタスキング機能を支援できる。また、視覚的アプリケーション及び聴覚的アプリケーション間のマルチタスキング及び衝突のときに処理が容易である。
【発明を実施するための最良の形態】
【００１６】
以下、添付された図面を参照して、本発明の望ましい実施形態を詳細に説明する。
【００１７】
本発明では、マルチタスキングを支援するために、マルチレイヤ構造のウィンドウを定義して使用する。本発明のユーザインターフェースは、マルチタスキング方式で実行できるアプリケーション数だけのウィンドウを重なってディスプレイし、各ウィンドウ内に選択可能メニューを適切に配置して、４方向キーを操作することで、メニュー選択を容易にする。
【００１８】
図１は、本発明によるユーザインターフェース画面の一実施形態である。
【００１９】
図１を参照すれば、２個のアプリケーションが第１レイヤウィンドウ及び第２レイヤウィンドウとでそれぞれ実行されうる。第１レイヤウィンドウは、類似した機能を行うため、同時に実行できないアプリケーションを選択できるメニュー１１２と、選択されたアプリケーションの付加機能を選択できるメニュー１１４と、選択されたアプリケーションが実行される部分１１０とが含まれるウィンドウである。同様に、第２レイヤウィンドウは、前記第１レイヤに含まれず、第１レイヤのアプリケーションと同時に実行することが可能であり、且つ互いに同時に実行できないアプリケーションを選択できるメニュー１２２と、選択されたアプリケーションの付加機能を選択できるメニュー１２４と、選択されたアプリケーションが実行される部分１２０とが含まれるウィンドウである。両レイヤのアプリケーション実行部分は、互いに重なるようにディスプレイされ、結果的にバックグラウンドとして実行中であるアプリケーションの実行部分は、フォアグラウンドとして実行中であるアプリケーションに覆われて見えなくなる。
【００２０】
しかし、各レイヤウィンドウのメニュー部分は、常に見えるようにディスプレイされ、現状態でアクションの可能な選択ボタンは、そうでない選択ボタンと異なる色相とする等、視覚的に差をおいてディスプレイされることが望ましい。図１を参照すれば、第１レイヤウィンドウ及び第２レイヤウィンドウのアプリケーション選択メニュー１１２、１２２とその下位メニューである付加機能選択メニュー１１４、１２４とは、重ならずに常に画面上に見えるようにディスプレイされる。また、第１レイヤウィンドウのアプリケーション選択メニュー１１２の最初の項目１１２−１とそれに対応する付加機能選択メニューとが斜線で表示されて、現在アクション可能な選択ボタンに区分されていることが分かる。したがって、本発明においてプログラム転換のためのレイヤ間の移動のためには、所望のメニュー項目だけ選択すればよい。
【００２１】
また、バックグラウンドとして実行中であるアプリケーションがある場合、これに対応するサムネイルがディスプレイされる。図１を参照すれば、第１レイヤウィンドウのアプリケーションがバックグラウンドとして実行中である場合は、それに該当するサムネイルが第１サムネイル部分１１６に表示され、第２レイヤウィンドウのアプリケーションがバックグラウンドとして実行中である場合は、それに該当するサムネイルが第２サムネイル部分１２６に表示される。
【００２２】
図２は、本発明によるユーザインターフェース画面を操作するための入力装置を例示した図である。
【００２３】
本発明によるユーザインターフェースを使用すれば、４方向キー入力装置を備えている機器でも便利にマルチタスキングを操作できる。図２を参照すれば、４個の方向キーのうち上側方向キー２１０と左側方向キー２２０とは、それぞれ第１レイヤウィンドウのアプリケーション選択メニュー１１２と付加機能選択メニュー１１４とに対応する。また、下側方向キー２４０と右側方向キー２３０とは、それぞれ第２レイヤウィンドウのアプリケーション選択メニュー１２２と付加機能選択メニュー１２４とに対応する。
【００２４】
ユーザが方向キーを押せば、画面で該当方向のエッジに位置したメニュー項目の間のフォーカスまたはカーソル移動が可能である。例えば、ユーザが上側方向キー２１０を押せば、フォーカスは、現在フォーカシングされたメニュー項目１１２−１から次の項目１１２−２に移動する。この状態でユーザが入力装置のＯＫボタンを押すと、前記メニュー項目１１２−２に対応するアプリケーションが選択されて実行される。したがって、ユーザは、直観的にインターフェースを使用でき、別に操作方法を学ばなくても便利に使用できる。さらに、各方向キーの色相を異にし、対応メニューの色相を該当方向キーと一致させれば、一層便利になる。例えば、入力装置の左側方向キーと、第１レイヤウィンドウの左側エッジに位置した付加機能選択メニューとの色相を同一にすれば、ユーザが使用法を直観的に修得することができる。
【００２５】
図３は、本発明によるユーザインターフェース方法の一実施形態を示すフローチャートである。
【００２６】
図３を参照すれば、マルチタスキング可能な装置におけるユーザインターフェース方法は、第一に、実行可能なアプリケーションを複数のグループに分類する(段階３０２)。このとき、類似した機能を行うため、マルチタスキングができない一つ以上のアプリケーションを同一グループに分類する。例えば、アプリケーションを視覚的アプリケーショングループと聴覚的アプリケーショングループとに分類する。写真再生器と動映像再生器とは、視覚的アプリケーションという点で類似しているので、画面の小さな機器で同時に実行できないアプリケーションである。したがって、これらは、同一グループに分類されるので、同一レイヤウィンドウに属する。また、聴覚的アプリケーションの音楽再生器は、視覚的アプリケーションである写真再生器の実行中にバックグラウンドとして実行できるので、他のグループに分類されて、別途のレイヤウィンドウに属する。したがって、視覚的アプリケーションと聴覚的アプリケーションとの間の衝突を簡単に処理できる。
【００２７】
分類された各グループに対して、所属アプリケーションの実行のためのウィンドウをディスプレイする。このとき、各ウィンドウのアプリケーション実行部分が互いに重なるように、マルチレイヤ構造でディスプレイして、現在選択されたアプリケーションの実行部分だけ見えるようにディスプレイする(段階３０４)。各ウィンドウのアプリケーション選択メニューをディスプレイする(段階３０６)。実行中である各アプリケーションの付加機能のうち一つを選択するためのメニューを該当ウィンドウにディスプレイする(段階３０８)。アプリケーション選択メニューと前記付加機能選択メニューとは、常に画面上で見えるように、画面の各エッジに重ならないように配置することが望ましい。ユーザが装置に備えられた方向キーを押せば、押された方向キーによって所定のエッジに位置したアプリケーション選択メニューまたは付加機能選択メニュー内で、メニュー項目選択を移動できる。現在実行中であるアプリケーションが前面にディスプレイされた場合、他のウィンドウにディスプレイされているアプリケーション選択メニューの項目のうち一つにフォーカスを移動させることによって、ユーザがバックグラウンドとして実行しようとするアプリケーションを容易に選択することができる。選択的に、現在実行中であるアプリケーションが前面にディスプレイされ、付加機能を提供することが可能な状態である場合は、該当付加機能選択メニューの項目のうち一つにフォーカスを移動して、ユーザの付加機能の選択を容易にできる。
【００２８】
次に、マルチタスキング方式で複数のアプリケーションが実行中である場合、バックグラウンドとして実行中であるアプリケーションに対応するサムネイルをディスプレイする(３１０)。したがって、ユーザは、現在バックグラウンドとして実行中であるため、アプリケーション実行領域が見えないアプリケーションが、どのアプリケーションであるか容易に認識することができる。
【００２９】
図４〜図１０は、本発明によるユーザインターフェース方法を実際に具現した例を示す図である。この例では、アプリケーションを２つのグループに分類して、２つのレイヤに構成された画面例を示しており、これら図面において斜線で表示されたメニュー項目は、現在状態でアクション可能な選択ボタンを意味する。
【００３０】
図４は、本発明によるユーザインターフェース方法を具現したメイン画面の例である。
【００３１】
図４を参照すれば、メイン画面で使用可能なアプリケーションである写真４１０、音楽４２０、動映像４３０、ＤＭＢ４４０、及びＦＭラジオ４５０などが並んでいる。この初期画面には、視覚的アプリケーション及び聴覚的アプリケーションが全て一つの目録に表示されている。
【００３２】
図５は、図４のメイン画面から写真アプリケーションメニュー項目４１０を選択したときの画面である。
【００３３】
図５を参照すれば、ユーザが写真４１０を選択したために、写真４１０、動映像４３０及びＤＭＢ４４０などの視覚的アプリケーションを含む第１レイヤウィンドウ５１０と、音楽４２０及びＦＭラジオ４５０などの聴覚的アプリケーションを含む第２レイヤウィンドウ５２０とがディスプレイされる。各ウィンドウのメニューは、明示的に見えるように画面のエッジにディスプレイされたが、両アプリケーション実行部分は、互いに重なるようにディスプレイされたことが分かる。現在選択されたアプリケーションである写真４１０の実行によりアプリケーション実行部分５１１に写真リスト画面がディスプレイされ、写真に対して実行可能な付加機能を指示するＳＨＯＷ５１２、ＺＯＯＭ５１４及びＲＯＴ５１６など、付加機能選択メニューが動的に構成されてディスプレイされる。もし、ユーザが動映像４３０を選択したとすれば、他の付加機能選択メニューがディスプレイされる。
【００３４】
図６は、図５の画面から付加機能を選択したときの画面であって、写真リストから所望の写真を選択し、スライドショービューに該当する付加機能であるＳＨＯＷ５１２を選択した場合である。
【００３５】
図６を参照すれば、選択された写真に該当するスライドショーを鑑賞できる画面がアプリケーション実行部分５１１にディスプレイされる。また、選択したコンテンツを楽しみながら他のアプリケーションを選択できるように、第２レイヤウィンドウのメニューボタンがアクション可能な状態であることを視覚的に区分されるようにし、その最初のメニューである音楽４２０アプリケーションにフォーカスが移動する。
【００３６】
図７は、ユーザが写真を鑑賞しながら背景音楽を聞くために。図６の画面から音楽４２０アプリケーションを選択したときの画面である。
【００３７】
図７を参照すれば、第２レイヤウィンドウがアクティブされて画面の前面に登場し、音楽４２０アプリケーションが実行部分７２１に実行される。また、音楽アプリケーションで使用可能な付加機能についてのメニュー項目であるＶＯＬ７２２、ＳＲＳ７２４及びＷＯＷ７２６が配列される。一方、バックグラウンドとして実行中である写真アプリケーションに対するサムネイル７１０が右側上段にディスプレイされる。
【００３８】
図８は、図７の画面から付加機能を選択したときの画面であって、音楽リストから所望の音楽を選択し、付加機能であるＳＲＳ７２４を選択したときの画面である。
【００３９】
図８を参照すれば、音楽コンテンツを再生しながら写真を鑑賞することがより有効なので、一定時間の経過後、写真４１０メニューにフォーカスが移動したことが分かる。すなわち、視覚的アプリケーションと聴覚的アプリケーションとが同時に実行中である場合、ユーザが視覚的アプリケーションをフォアグラウンドとして実行する可能性が大きいので、ユーザの便宜のために視覚的アプリケーションに該当するメニューにフォーカスを移動させる。
【００４０】
図９は、図８の画面から写真４１０メニューを選択して写真アプリケーションウィンドウに転換したときの画面である。
【００４１】
図９を参照すれば、さらに第１レイヤウィンドウが前面にディスプレイされる。このとき、バックグラウンドとして実行される音楽アプリケーションに対するサムネイル９１０を左側下段にディスプレイする。結果的に、写真スライドショーを鑑賞しながら音楽をバックグラウンドとして実行するようになる。
【００４２】
図１０は、図９の画面から写真アプリケーションを全体画面にディスプレイしたときの画面である。
【００４３】
図１０を参照すれば、第１レイヤウィンドウのアプリケーション実行部分５１１が全体画面化され、バックグラウンドとして実行中である音楽は、サムネイル化されてディスプレイされる。
【００４４】
前述したような本発明による方法は、コンピュータで読み取り可能な記録媒体にコンピュータで読み取り可能なコードとして具現することが可能である。
【００４５】
以上、本発明についてその望ましい実施形態を中心に説明した。当業者は、本発明が、本発明の本質的な特性から逸脱しない範囲で変形された形態で具現できることが分かるであろう。したがって、開示された実施形態は、限定的な観点ではなく、説明的な観点で考慮されねばならない。本発明の範囲は、前述した説明ではなく、特許請求の範囲に表れており、それと同等な範囲内にある全ての差異点は、本発明に含まれたものと解釈されねばならない。
【産業上の利用可能性】
【００４６】
本発明は、ユーザインターフェース関連の技術分野に好適に用いられる。
【図面の簡単な説明】
【００４７】
【図１】本発明によるユーザインターフェース画面の一実施形態である。
【図２】本発明によるユーザインターフェース画面を操作するための入力装置を例示した図である。
【図３】本発明によるユーザインターフェース方法の一実施形態を示すフローチャートである。
【図４】本発明によるユーザインターフェース方法を具現したメイン画面の例である。
【図５】図４のメイン画面から写真アプリケーションを選択したときの画面である。
【図６】図５の画面から付加機能を選択したときの画面である。
【図７】図６の画面から音楽アプリケーションを選択したときの画面である。
【図８】図７の画面から付加機能を選択したときの画面である。
【図９】図８の画面から写真アプリケーションウィンドウに転換したときの画面である。
【図１０】図９の画面から写真アプリケーションを全体画面にディスプレイしたときの画面である。
【符号の説明】
【００４８】
１１０、１２０  アプリケーション実行部分 
１１２  第１レイヤウィンドウのアプリケーション選択メニュー
１１２−１  メニュー項目
１１４、１２４  付加機能選択メニュー
１１６  第１サムネイル部分
１２２  第２レイヤウィンドウのアプリケーション選択メニュー
１２６  第２サムネイル部分
【図１】
2007249944.tif 000003
【図２】
2007249944.tif 000004
【図３】
2007249944.tif 000005
【図４】
2007249944.tif 000006
【図５】
2007249944.tif 000007
【図６】
2007249944.tif 000008
【図７】
2007249944.tif 000009
【図８】
2007249944.tif 000010
【図９】
2007249944.tif 000011
【図１０】
2007249944.tif 000012